(57)【要約】      （修正有）【課題】レース素材を用いたアウターのレイヤードルックを自由に楽しむことができるとともに、アウターとレース素材の組み合わせの自由度を高め、レーヤードルックの軽便性や多様化、更には経済性を向上させることが可能なレーシーベルトを提供する。【解決手段】所定の形状に裁断されたレース素材からなる装飾部と、装飾部を人体又は服に装着するための装着部とを備えるように構成した。【選択図】図１
0003138876.tif 000002
【実用新案登録請求の範囲】
【請求項１】
所定の形状に裁断されたレース素材からなる装飾部と、
前記装飾部を人体又は服に装着するための装着部とを備えたことを特徴とするレーシーベルト。
【請求項２】
前記装着部は、ベルト状の部材によって形成されていることを特徴とする請求項１に記載のレーシーベルト。
【請求項３】
前記装着部は、人体に装着する部分の長さが調節可能となっていることを特徴とする請求項１又は２に記載のレーシーベルト。
【請求項４】
前記レーシーベルトは、人体のウエスト部に着用されることを特徴とする請求項１乃至３のいずれかに記載のレーシーベルト。
【請求項５】
前記装着部は、装飾部の上端部に縫着されていることを特徴とする請求項１乃至４のいずれかに記載のレーシーベルト。
【請求項６】
前記装着部の両端部には、当該装着部の両端部を互いに係合させる係合部材が幅方向に複数列設けられていることを特徴とする請求項１乃至４のいずれかに記載のレーシーベルト。
【考案の詳細な説明】
【技術分野】
【０００１】
この発明は、レース素材を使用したレーシーベルトに関するものである。
【背景技術】
【０００２】
近年、複数枚の服を重ね着するレイヤードスタイルが流行しており、特に若者達の間では、定番となっている。このレーヤードスタイルでは、例えば、キャミソールとＴシャツを重ね着するなど、重ね着するアイテムも着用する枚数も実に様々となっている。
また、最近は、女性らしさを演出するため、レース素材を用いたアウターが流行している。かかるレース素材を用いたアウターでは、洋服の襟元や裾、あるいは袖先などにレースをあしらうことによって、女性の素肌をレース素材を介して露出させ、女性らしさをより一層演出するように構成されている。
【０００３】
その際、上記レース素材は、アウターとしての洋服のデザインや色に合わせて選択され、所定の形状に裁断された状態で、洋服の襟元や裾、あるいは袖先などに縫着されることによって装着される。
【０００４】
また、上記レース素材を用いたアウターなどを他の服と重ね着するレイヤードルックの場合には、レース素材を用いたアウターにフィットした服を選択し、当該レース素材を用いたアウターの下又はアウターの上に重ね着するようにしている。
【考案の開示】
【考案が解決しようとする課題】
【０００５】
しかしながら、上記従来技術の場合には、次のような問題点を有している。すなわち、上記複数枚の服を重ね着するレイヤードスタイルでは、実際に、服の丈やカラーなどをバランス良く組み合わせて、おしゃれに着こなすことは難しい。複数枚の服を重ね着する上では、服の丈や襟繰りなどのバランスが重要であるが、重ね着を目的として服を選んで購入する際には、実際に重ね着する服を着用しなければ、服の丈や襟繰りなどのバランスが判らず、服を購入するときに、手持ちのアイテムとの組み合わせを見ることが難しいという問題点を有している。
【０００６】
そのため、多くのユーザーは、予め、重ね着用に組み合わされた複数枚の服を購入し、いつも同じ組み合わせでしか、レーヤードルックを実現することができず、レーヤードルックを十分エンジョイすることができず、レーヤードルックの多様化や経済性に欠けるという問題点を有している。
【０００７】
また、従来のレース素材を用いたアウターの場合には、洋服の襟元や裾、あるいは袖先などにレース地が縫着されており、当該レース素材を用いたアウターを他の服と重ね着するレイヤードルックにおいては、レース素材が重ね着する服とフィットするか否か等を考慮する必要がある。そのため、上記レース素材を用いたアウターの場合には、重ね着する服の種類が限定されてしまい、レイヤードルックを十分エンジョイすることができないという問題点を有している。
【０００８】
また、上記レース素材を用いたアウターの場合には、洋服の襟元や裾、あるいは袖先などにレース地が縫着されているため、他のレース素材を用いたアウターと重ね着する際には、洋服同士のコーディネート以外にレース素材同士のコーディネートも考慮する必要があり、組み合わせの自由度が減少せざるを得ず、レイヤードルックの多様性が減少するという問題点を有している。
【０００９】
さらに、上記レース素材を用いたアウターにおいては、洋服そのものが気に入っていても、レース素材の柄や色等が気に入らない場合、レース素材のみを取り替えることができず、レース素材を用いたアウターを我慢して、当該アウターの着用を諦める必要があり、ユーザーのニーズに十分応えることができず、経済的ではないという問題点をも有している。
【００１０】
そこで、この考案は、上記従来技術の問題点を解決するためになされたものであり、その目的とするところは、レース素材を用いたアウターのレイヤードルックを自由に楽しむことができるとともに、アウターとレース素材の組み合わせの自由度を高め、レーヤードルックの軽便性や多様化、更には経済性を向上させることが可能なレーシーベルトを提供することにある。
【課題を解決するための手段】
【００１１】
すなわち、請求項１に記載の考案は、所定の形状に裁断されたレース素材からなる装飾部と、
前記装飾部を人体又は服に装着するための装着部とを備えたことを特徴とするレーシーベルトである。
【００１２】
また、請求項２に記載の考案は、前記装着部は、ベルト状の部材によって形成されていることを特徴とする請求項１に記載のレーシーベルトである。
【００１３】
さらに、請求項３に記載の発明は、前記装着部は、人体に装着する部分の長さが調節可能となっていることを特徴とする請求項１又は２に記載のレーシーベルト。
【００１４】
又、請求項４に記載の発明は、前記レーシーベルトは、人体の腹部に着用されることを特徴とする請求項１乃至３のいずれかに記載のレーシーベルトである。
【００１５】
更に、請求項５に記載の発明は、前記装着部は、装飾部の上端部に縫着されていることを特徴とする請求項１乃至４のいずれかに記載のレーシーベルトである。
【００１６】
また、請求項６に記載の発明は、前記装着部の両端部には、当該装着部の両端部を互いに係合させる係合部材が幅方向に複数列設けられていることを特徴とする請求項１乃至４のいずれかに記載のレーシーベルトである。
【考案の効果】
【００１７】
この考案によれば、レース素材を用いたアウターのレイヤードルックを自由に楽しむことができるとともに、アウターとレース素材の組み合わせの自由度を高め、レーヤードルックの軽便性や多様化、更には経済性を向上させることが可能なレーシーベルトを提供することができる。
【考案を実施するための最良の形態】
【００１８】
以下に、この考案の実施の形態について図面を参照して説明する。
【００１９】
実施の形態１
【００２０】
図２はこの考案の実施の形態１に係るレーシーベルトを着用した状態を示すものである。
【００２１】
図２において、１はレーシーベルトを示すものであり、このレーシーベルト１は、例えば、女性がＴシャツ等のトップス２や、パンツやスカート等のボトム３を着用した際に、当該トップス２の裾部に位置する女性のウエスト部などに、素肌の上に密着した状態で着用される。
【００２２】
上記レーシーベルト１は、図１に示すように、所定の丈を有する無端のベルト状に形成されたレース素材等からなる装飾部４と、この装飾部４を人体又は服に装着するため、装飾部４の上端部に縫着された環状の装着部５とを備えるように構成されている。
【００２３】
上記装飾部４は、所定の幅を有するレース素材を、女性のウエストのサイズに合わせた長さに裁断し、当該レース素材の両端部を互いに縫着することによって、所定の丈を有する無端のベルト状に形成される。この装飾部４は、装着部５に対してミシン等によって縫い止めるか又は接着することにより装着される。
【００２４】
また、上記装着部５は、例えば、ゴム等の伸縮性を有するテープ体を所望の生地によって被覆して形成される。この装着部５は、装飾部４を構成するレース素材によって被覆しても良いが、他の生地を用いて形成しても勿論良い。この装着部５は、着用状態において、トップス２等のアウターから露出しないことが望ましい。
【００２５】
上記レーシーベルト１の構成としては、図３（ａ）に示すように、装着部５の下部５ａを、フィッシュネット編等のラッセル編によるバインダー体を用いて構成したものであっても良い。また、上記装着部５は、トリコット編又は丸編、或いはサテン織等の二つ折りのものとして構成しても良い。さらに、このレーシーベルト１は、装着部５としてフィシュネット組織等のものを用いて、装飾部４と一体的に構成しても良い。
【００２６】
また、上記レーシーベルト１の構成としては、図３（ｂ）に示すように、装着部５を構成する基布として、熱接着を前提とする樹脂加工を施したものを用い、当該基布を必要な幅に裁断した上、当該装着部５を二つ折りにした上下両端でレース地４をサンドイッチ状に挟持するように熱圧着させることにより、装着部５と装飾部４とを一体化したものである。なお、上記装着部５は、熱接着によらずに、装飾部４の上端部を挟持状態で縫着するように構成しても良い。
【００２７】
又、上記レーシーベルト１の構成としては、図３（ｃ）に示すように、リング状部材８を介して、ベルト状の装着部５の両端を折り返し、当該折り返した装着部５の端部を、フック６とアイ７によって調節可能としたものであっても良い。ただし、この場合には、装着部５の調節代に装飾部４を設けることが困難となる。
【００２８】
このレーシーベルト１の構成としては、図４（ａ）に示すように、着脱の容易性や、人体のサイズヘの適合性を考慮して、装着部５をベルト状に形成し、当該ベルト状の装着部５の両端をフック６とアイ７によって、長さを調整自在に連結するように構成することができる。
【００２９】
なお、折り返しを固定化させるフック６とアイ７に代えて、図４（ｂ）に示すように、ボタンホール７を備えたテープ体５とボタン６との組み合わせや、図４（ｃ）に示すように、凹形状の係合部材７と凸形状の係合部材６との組み合わせによる凹凸方式であるアメリカンスナップ方式（一般的なスナップを含む）、図４（ｄ）に示すように、ベルト状の装着部５の端部に縫い止められた引っ掛用の金具２０と、二重編又は裏面にテープを縫い止めて形成された引っ掛部２１との組み合わせ、あるいは面状ファスナー等の方式であっても良い。上記図４（ｂ）に示すテープ体５は、ボタンホール７を一体的に編み立てたものが望ましい。
【００３０】
また、上記装着部５の連結部１０は、図３（ｄ）及び図５に示すように、二重構造を採用することにより、連結部１０にも装飾部４を設けるように構成することができる。なお、上記装着部５の連結部１０は、図５及び図６（ａ）に示すように、装着部５に凹形状の係合部材７と凸形状の係合部材６との組み合わせによる凹凸方式であるアメリカンスナップ方式を上下に２列設けても良いし、図６（ｂ）に示すように、装着部５に凹形状の係合部材７と凸形状の係合部材６との組み合わせによる凹凸方式であるアメリカンスナップ方式を１列のみ設けても良い。ここで、図６では、アメリカンスナップ方式の凹形状の係合部材を符号２２で、凸形状の係合部材を符号２３で示しているが、図５に示す凹形状の係合部材７及び凸形状の係合部材６と同一の部材である。
【００３１】
なお、図５及び図６（ａ）は、装着部５の片側（上側裏面）の端部に、凸形状の係合部材６、２３を配置し、装着部５の下側表面の端部に、凹形状の係合部材７、２２を配置している。また、図５及び図６（ａ）に示すように、装着部５に凹形状の係合部材７と凸形状の係合部材６との組み合わせによる凹凸方式であるアメリカンスナップ方式を装着部５の長手方向と直交する幅方向に沿って複数列（例えば、２列）設けることにより、幅の広い装着部５にも対応することができるようになっている。
【００３２】
さらに、図６（ｂ）では、装着部５の端部に凸形状の係合部材２３が１つ設けられているとともに、当該凸形状の係合部材２３に対して等間隔が凹形状の係合部材２２が複数個設けられている。そのため、装着部５の端部は、凸形状の係合部材２３が必ず何れかの凹形状の係合部材２２に係合され、装着部５の端部がはみ出したりする虞れがない。
【００３３】
以上の構成において、この実施の形態に係るレーシーベルトでは、次のようにして、レース素材を用いたアウターのレイヤードルックを自由に楽しむことができるとともに、アウターとレース素材の組み合わせの自由度を高め、レーヤードルックの軽便性や多様化、更には経済性を向上させることが可能となっている。
【００３４】
すなわち、この実施の形態に係るレーシーベルト１は、例えば、図７に示すように、人体のウエスト部１１の上方に着用されるが、その際、装着部５は、トップス２の下に位置して、外部に露出しなように着用され、多くは人体に直接セットする。
【００３５】
また、このレーシーベルト１は、図８に示すように、人体のウエスト部１１の下方に着用しても良く、この場合には、多くは人体には直接セットされず、パンツ等のボトム３の上にセットされるようになっている。
【００３６】
上記レーシーベルトの装飾部４は、アウターファッションとの連動性、調和性、又はアンバランス性を含め、限定されるものではできないが、概ねレーシーと言う感覚に追従する軽やかなレース素材がべースとなる。
【００３７】
さらに、上記レーシーベルト１の装着部５は、図７（ｂ）に示すように、人体に直接着用することを考慮し、吸汗性や通気性等の衛生面と、位置がズレ難いが、強く締め付けるのでなく肌への抵抗が少ない、タッチがソフトである等の要求に加え、幅広い体形に調和するための伸張率等が望まれる。
【００３８】
この機能は、図８（ｂ）に示すように、アウターのパンツ等のボトム３にセットする場合であっても、衛生面での要求を低下させるのでなく、同じ要求を満たすことはベターである。また、この場合には、直接肌に接しないことからすれば、ズレを防止するための、粘着加工を裏面に施すことが望ましい。この粘着加工は、シリコン等であれば、人体にセットする装着部５に利用することも可能であり、この場合には、図３（ａ）に示すようなフィッシュネットタイプがソフトであり且つ滑りにくく望ましい。
【図面の簡単な説明】
【００３９】
【図１】図１はこの考案の実施の形態１に係るレーシーベルトを示す構成図である。
【図２】図２はこの考案の実施の形態１に係るレーシーベルトを装着した状態を示す説明図である。
【図３】図３はこの考案の実施の形態１に係るレーシーベルトの変形例をそれぞれ示す構成図である。
【図４】図４はこの考案の実施の形態１に係るレーシーベルトの他の変形例を示す構成図である。
【図５】図５はこの考案の実施の形態１に係るレーシーベルトの他の変形例を示す構成図である。
【図６】図６はこの考案の実施の形態１に係るレーシーベルトの他の変形例を示す構成図である。
【図７】図７はこの考案の実施の形態１に係るレーシーベルトを装着した状態を示す説明図である。
【図８】図８はこの考案の実施の形態１に係るレーシーベルトを装着した状態を示す説明図である。
【符号の説明】
【００４０】
１：レーシーベルト、４：装飾部、５：装着部。
【図１】
0003138876.tif 000003
【図２】
0003138876.tif 000004
【図３】
0003138876.tif 000005
【図４】
0003138876.tif 000006
【図５】
0003138876.tif 000007
【図６】
0003138876.tif 000008
【図７】
0003138876.tif 000009
【図８】
0003138876.tif 000010